(57)【要約】【課題】本発明は、極めて商品価値の高い画期的な健康器具を提供することを目的とするものである。【解決手段】身体の腹部１に配設される本体２に、腹部１に力を入れて凹ませた状態若しくは引き保持させた状態とする腹部引動運動が行われたことを検知する腹部引動運動検知部３と、この腹部引動運動検知部３により腹部引動運動が行われていることを検知した際、腹部引動運動を行った時間や回数などの情報を記録する情報記録部４とを具備するものである。【選択図】        図２
2004267602.tif 000002
【特許請求の範囲】
【請求項１】
身体の腹部に配設される本体に、腹部に力を入れて凹ませた状態若しくは引き保持させた状態とする腹部引動運動が行われたことを検知する腹部引動運動検知部と、この腹部引動運動検知部により腹部引動運動が行われていることを検知した際、腹部引動運動を行った時間や回数などの情報を記録する情報記録部とを具備することを特徴とする健康器具。
【請求項２】
前記本体の周面にスイッチ体を突没自在に設け、このスイッチ体を、腹部を凹ませた状態若しくは引き保持させた状態とした際、腹部により押圧されていた没状態から突状態となることで腹部引動運動が行われたことを検知する前記腹部引動運動検知部として構成したことを特徴とする請求項１記載の健康器具。
【請求項３】
前記情報記録部で記録された情報を表示する表示部を前記本体に設けたことを特徴とする請求項１，２のいずれか１項に記載の健康器具。
【請求項４】
腹部引動運動が行われていないこと若しくは行われたことを検知して使用者にこの腹部引動運動が行われていないこと若しくは行われたことを音や振動などの報知手段により知らせる報知部を前記本体に設けたことを特徴とする請求項１〜３のいずれか１項に記載の健康器具。
【請求項５】
前記情報記録部で記録された情報を処理し得る情報処理装置に接続する接続部を前記本体に設けたことを特徴とする請求項１〜４のいずれか１項に記載の健康器具。
【発明の詳細な説明】
【０００１】
【発明の属する技術分野】
本発明は、健康器具に関するものである。
【０００２】
【従来の技術及び発明が解決しようとする課題】
近年、益々健康についての関心が高まる中、例えば腹部（腰周り）についた脂肪を減らしたいと望む人は多く、これに対して種々の健康器具（ダイエット器具）が提案されている。
【０００３】
例えば腹部に低周波を発する低周波発生装置をベルトを介して装着するように構成された健康器具（以下、従来例）が提案されており、この従来例は低周波発生装置から低周波を発して電気的に筋肉を収縮させて腹筋運動を強制的に行わせることで、腹部についた脂肪を減らそうとするものである。
【０００４】
ところが、この従来例は、使用者の意思とは別に腹筋運動を強制的に行わせるものである為、違和感や不快感（電気刺激による痛み）を感じてしまう場合があり、継続した使用が行われないケースが多く、しかも、医学的に身体に与える影響について未だ解明されていない部分も多い。
【０００５】
本発明者は、上述の問題点に着目し、極めて商品価値の高い画期的な健康器具を開発した。
【０００６】
【課題を解決するための手段】
添付図面を参照して本発明の要旨を説明する。
【０００７】
身体の腹部１に配設される本体２に、腹部１に力を入れて凹ませた状態若しくは引き保持させた状態とする腹部引動運動が行われたことを検知する腹部引動運動検知部３と、この腹部引動運動検知部３により腹部引動運動が行われていることを検知した際、腹部引動運動を行った時間や回数などの情報を記録する情報記録部４とを具備することを特徴とする健康器具に係るものである。
【０００８】
また、前記本体２の周面にスイッチ体５を突没自在に設け、このスイッチ体５を、腹部１を凹ませた状態若しくは引き保持させた状態とした際、腹部１により押圧されていた没状態から突状態となることで腹部引動運動が行われたことを検知する前記腹部引動運動検知部３として構成したことを特徴とする請求項１記載の健康器具に係るものである。
【０００９】
また、前記情報記録部４で記録された情報を表示する表示部９を前記本体２に設けたことを特徴とする請求項１，２のいずれか１項に記載の健康器具に係るものである。
【００１０】
また、腹部引動運動が行われていないこと若しくは行われたことを検知して使用者にこの腹部引動運動が行われていないこと若しくは行われたことを音や振動などの報知手段により知らせる報知部８を前記本体２に設けたことを特徴とする請求項１〜３のいずれか１項に記載の健康器具に係るものである。
【００１１】
また、前記情報記録部４で記録された情報を処理し得る情報処理装置に接続する接続部７を前記本体２に設けたことを特徴とする請求項１〜４のいずれか１項に記載の健康器具に係るものである。
【００１２】
【発明の実施の形態】
好適と考える本発明の実施の形態（発明をどのように実施するか）を、図面に基づいてその作用効果を示して簡単に説明する。
【００１３】
身体の腹部１に本体２を配設し、腹部１に力を入れて腹部１を凹ませた状態若しくは引き保持させた状態とする腹部引動運動を行った際、腹部引動運動検知部３により腹部引動運動が行われていることを検知し、この腹部引動運動を行った時間や回数などの情報が情報記録部４により記録される。
【００１４】
従って、腹部１に力を入れることで凹ませた状態若しくは引き保持させた状態とする腹部引動運動を行うことで腹部１についた脂肪を減らす効果が得られ（本出願人は、腹部１に力を入れて腹部１を凹ませた状態若しくは引き保持させた状態とするだけでも、床に仰向け状態となり、腹部１に力を入れて上半身を床面から浮かして行う腹筋運動と同様の効果が得られることを確認している。）、しかも、情報記録部４で記録された記録から、例えば一日どれくらい腹部引動運動を行ったかなどを確認することができて、使用者が自ら目標を立てて行おうとする意欲を起こすきっかけにもなり、また、決して無理強いするものではないから何ら苦痛は無く安心して継続した使用が可能となる。
【００１５】
また、本体２の周面にスイッチ体５を突没自在に設け、このスイッチ体５を、腹部１を凹ませた状態若しくは引き保持させた状態とした際、腹部１により押圧されていた没状態から突状態となることで腹部引動運動が行われたことを検知する腹部引動運動検知部３として構成した場合は、腹部１の状態に応じて確実に腹部引動運動が行われているか否かを検知することができることになる。
【００１６】
また、情報記録部４で記録された情報を表示する表示部９を本体２に設けた場合には、例えば使用者はいつでも自らの運動状況を把握することができ、腹部引動運動を行おうとする意欲を起こすきっかけにもなる。
【００１７】
また、腹部引動運動が行われていないこと若しくは行われたことを検知して使用者にこの腹部引動運動が行われていないこと若しくは行われたことを音や振動などの報知手段により知らせる報知部８を本体２に設けた場合には、使用者に腹部引動運動の意識を促すことができることになる。
【００１８】
また、情報記録部４で記録された情報を処理し得る情報処理装置に接続する接続部７を本体２に設けた場合には、情報処理装置による情報処理により、計画的な自己管理が行えることになり、より一層腹部引動運動を行おうとする意欲を起こすきっかけにもなる。
【００１９】
【実施例】
本発明の具体的な実施例について図面に基づいて説明する。
【００２０】
本実施例は、身体の腹部１に配設される本体２に、腹部１に力を入れて凹ませた状態若しくは引き保持させた状態とする腹部引動運動が行われたことを検知する腹部引動運動検知部３と、この腹部引動運動検知部３により腹部引動運動が行われていることを検知した際、腹部引動運動を行った時間や回数などの情報を記録する情報記録部４とを具備するものである。
【００２１】
具体的には、本体２は、図１に図示したように適宜な合成樹脂製の部材をケース状に形成したものであり、その外面にはズボン１０の腰部に係止連結する図示省略の連結部が設けられている。
【００２２】
また、本体２は、その内面に一対のスイッチ体５，６が突没自在に設けられている。
【００２３】
そのスイッチ体５，６のうち、一方のスイッチ体５は、突状態の際、本体２内に内蔵された情報記録部４を作動するように構成されており、腹部１に力を入れて凹ませた状態若しくは引き保持させた状態とした際、腹部１により押圧されていた没状態から突状態となることで腹部引動運動が行われたことを検知する腹部引動運動検知部３として構成されている。
【００２４】
この腹部引動運動検知部３によって腹部引動運動が行われたことを検知すると、スイッチ体５が突状態である累積時間と回数を情報記録部４に記録するように構成されている。
【００２５】
この情報記録部４は、時計機能（カレンダー機能）を具備して数日分を日割りで記録することができ、その他にも行った腹部引動運動の内容を分析（過去の運動量の推移を記録して比較）するなどの機能も具備する。分析機能としては、使用者の体重、ウエスト、体脂肪率を入力することにより、人夫々異なる最適な運動時間、運動回数を分析したり、腹部引動運動が行われた回数と時間を比較し、運動が目的（ウエスト周りの脂肪を減らすことか、筋肉質の腹部を作ることか）に合っているか否かを分析したりすることができる（回数に比較し時間が長ければ遅筋を発達させて脂肪を減らすことができ、短ければ速筋を発達させて筋肉質の腹部を作ることができる。）。
【００２６】
尚、情報記録部４は、前述したようにスイッチ体５が突状態である累積時間と回数を記録する構成に限らず、例えば所定の時間を一単位としてこの単位数を記録する構成にするなど適宜設計変更し得るものである。
【００２７】
また、情報記録部４で記録された情報は本体２に設けた表示部９でデジタル表示することができ、この表示部９は、情報記録部４で記録された情報の他にも、日付や時間を表示することができる。
【００２８】
また、他方のスイッチ体６は、没状態の際、本体２内に内蔵された報知部８を作動するように構成されており、腹部１を通常の状態（腹部１に力を入れていない状態）とした際、腹部１により押圧されて没状態となることで腹部引動運動が行われていないことを検知して、報知部８から報知手段としての音と振動とにより腹部引動運動が行われていないことを知らせることが出来る。
【００２９】
また、この報知部８は、スイッチ体６で腹部引動運動が行われていないことを検知した際、直ちに音と振動とにより報知するようにしたり、或いは、ある時間腹部引動運動を行っていないときだけ音と振動とにより報知するようにするなど、そのタイミングは適宜設定することができ、更に、この機能が不要な際には報知部８は機能停止が自由に行える。
【００３０】
従って、スイッチ体６により腹部引動運動をしていないことを検知した際、この腹部引動運動をしていないことを報知部８により使用者に知らせることができるから、無意識のうちに腹部引動運動を行っていなかったことを気付くようにすることができる。
【００３１】
尚、本実施例では、報知部８として腹部引動運動が行われていないことを検知した際に機能する報知部８を採用したが、反対に腹部引動運動を行っている際に機能するようにしても良く、この場合、確実に且つ良好に腹部引動運動が行われているかを確認することができることになる。
【００３２】
また、本実施例では、本体２の側面部に情報記録部４で記録された情報を処理し得る情報処理装置（コンピュータ）に配線１１（通信ケーブル）を介して接続する接続部７を設けている。
【００３３】
従って、情報記録部４で記録された情報を情報処理装置（コンピュータ）に入力して自己管理することができる。尚、接続部７としてはコードレスタイプ（赤外線通信）によるものであっても良い。
【００３４】
符号１２は情報記録部４や報知部８や表示部９などの各種機能の設定を行う為の設定ボタン部である。
【００３５】
本実施例は上述のように構成したから、ズボン１０の腹部１に位置する部分に本体２を配設し、腹部１に力を入れて腹部１を凹ませた状態若しくは引き保持させた状態とする腹部引動運動を行った際（図３，４参照）、腹部引動運動検知部３に係るスイッチ体５が突状態となって腹部引動運動が行われていることを検知し、この腹部引動運動を行った時間や回数などの情報が情報記録部４により記録される。
【００３６】
また、例えば無意識のうちに腹部引動運動を止めた際（図５，６参照）、スイッチ体６が没状態となって腹部引動運動が行われていないことを検知し、報知部８が作動することになる。
【００３７】
よって、本実施例によれば、腹部１に力を入れることで凹ませた状態若しくは引き保持させた状態とする腹部引動運動を行うことで腹部１についた脂肪を減らす効果が得られ（この腹部引動運動は、有酸素運動となり遅筋である横腹筋を発達させ、ウエスト周りの脂肪を消化する効果と、無酸素運動となり速筋である縦腹筋を発達させ、筋肉質の腹部を形成する効果がある。）、しかも、情報記録部４で記録された記録から、例えば一日どれくらい腹部引動運動を行ったかを確認することができて、使用者が自ら目標を立てて行おうとする意欲を起こすきっかけにもなり、また、決して無理強いするものではないから何ら苦痛は無く安心して継続した使用が可能となる。
【００３８】
また、本実施例は、本体２の周面に設けたスイッチ体５の突没により、腹部引動運動が行われたことを検知する腹部引動運動検知部３として構成したから、腹部１の状態に応じて確実に腹部引動運動が行われているか否かを検知することができることになる。
【００３９】
また、本実施例は、情報記録部４で記録された情報を表示する表示部９を本体２に設けたから、例えば使用者はいつでも自らの運動状況を把握することができ、腹部引動運動を行おうとする意欲を起こすきっかけにもなる。
【００４０】
また、本実施例は、腹部引動運動が行われていないことを検知して使用者にこの腹部引動運動が行われていないことを音や振動などの報知手段により知らせる報知部８を本体２に設けたから、使用者に腹部引動運動の意識を促すことができることになる。
【００４１】
また、本実施例は、情報記録部４で記録された情報を処理し得る情報処理装置に接続する接続部７を本体２に設けたから、情報処理装置による情報処理により、計画的な自己管理が行えることになり、より一層腹部引動運動を行おうとする意欲を起こすきっかけにもなる。
【００４２】
尚、本発明は、本実施例に限られるものではなく、例えば本体２を約１〜２ｍｍの可撓性を有するシートスイッチ構造としても良く、この場合、本体２を非常に薄くて軽量にすることができ、しかも、本体２の表面に余計な突起物がなく腹部の動きに順応する可撓性を有するものであるから、使用者は圧迫感や違和感がなく良好な使用状態が得られることになる。
【００４３】
【発明の効果】
本発明は上述のように構成したから、確実に腹部についた脂肪を減らす効果が得られ、しかも、使用者の腹部引動運動を行おうとする意欲を掻き立てることができ、そして、決して無理強いするものではないから何ら苦痛は無く安心して継続した使用が可能となるなど極めて商品価値の高い画期的な健康器具となる。
【００４４】
また、請求項２記載の発明においては、具体的な構成から、腹部の状態に応じて確実に腹部引動運動が行われているか否かを検知することができることになるなど極めて商品価値の高い画期的な健康器具となる。
【００４５】
また、請求項３記載の発明においては、例えば使用者はいつでも自らの運動状況を把握することができ、腹部引動運動を行おうとする意欲を掻き立てることができることになるなど極めて商品価値の高い画期的な健康器具となる。
【００４６】
また、請求項４記載の発明においては、使用者に腹部引動運動の意識を確実に促すことができることになるなど極めて商品価値の高い画期的な健康器具となる。
【００４７】
また、請求項５記載の発明においては、情報処理装置による情報処理により、計画的な自己管理が行えることになり、より一層腹部引動運動を行おうとする意欲を掻き立てることができることになるなど極めて商品価値の高い画期的な健康器具となる。
【図面の簡単な説明】
【図１】本実施例を示す斜視図である。
【図２】本実施例の使用状態説明図である。
【図３】本実施例の概略動作説明図である。
【図４】本実施例の概略動作説明図である。
【図５】本実施例の概略動作説明図である。
【図６】本実施例の概略動作説明図である。
【符号の説明】
１  腹部
２  本体
３  腹部引動運動検知部
４  情報記録部
５  スイッチ体
７  接続部
９  表示部
【図１】
2004267602.tif 000003
【図２】
2004267602.tif 000004
【図３】
2004267602.tif 000005
【図４】
2004267602.tif 000006
【図５】
2004267602.tif 000007
【図６】
2004267602.tif 000008